(57)【要約】【課題】姿勢を整える機能性を維持しつつ、体型の違いや肩の動きに対応できるボディスーツ・キャミソールの提供を目的とする。【解決手段】肩紐のない胴まわり背布と、両側の肩紐を有するとともに両側の肩甲骨部分を覆う上部背布とを部分的に重ね合せてあり、前記胴まわり背布と前記上部背布とを背中心部にて縫合してあることを特徴とする。【選択図】  図１
2018145575.tif 000002
【特許請求の範囲】
【請求項１】
肩紐のない胴まわり背布と、
両側の肩紐を有するとともに両側の肩甲骨部分を覆う上部背布とを部分的に重ね合せてあり、
前記胴まわり背布と前記上部背布とを背中心部にて縫合してあることを特徴とするボディスーツ・キャミソール。
【請求項２】
前記上部背布は、両側をそれぞれ脇の部分で前身頃と縫合した背まわり部に前記肩紐部を連結してあり、
前記胴まわり背布は上部側を部分的に前記上部背布の下部側の外側に重ねてあり、
前記上部背布と前記胴まわり背布は背中央の縦ライン部に沿って縫合してあることを特徴とする請求項１記載のボディスーツ・キャミソール。
【請求項３】
前記胴まわり背布は、ウエスト部及びヒップ部とを前身頃と一体的に縫合してあることを特徴とする請求項１又は２記載のボディスーツ・キャミソール。
【発明の詳細な説明】
【技術分野】
【０００１】
本発明は、姿勢を美しく整えるボディスーツに関する。
【背景技術】
【０００２】
肩紐で吊し、肩を露出したキャミソールタイプのボディスーツは従来から知られている。
しかし、従来のボディスーツ・キャミソールは、肩紐部，ウエスト部及びヒップ部が一体的であり、背中のサポート力を強くすると肩に圧迫感があり着用しにくく、着用者の体型に合わなかったり、肩の動きに無理が生じる恐れがあった。
【０００３】
特許文献１には、上身部の背面側を内側布８と外側布９を重ね合せ、外側布は下端部を下身部の腰部５に縫合しないが、内側布は下部を腰部に縫合し、ヒップ部と一体的に形成した肩紐部を有するボディスーツを開示する。
しかし、同公報に開示するボディスーツは、上身部において単に内側布に外側布を重ね合せただけなので、背筋を伸ばす作用が不充分である。
特許文献２には、背中部分においてＹ字ベルトと水平ボルトを結合させた、背中の筋肉をサポートする衣類を開示するが、従来のボディスーツ・キャミソールと同様、Ｙ字ベルトがあることで肩に圧迫感が生じるものである。
【先行技術文献】
【特許文献】
【０００４】
【特許文献１】実用新案登録第３１８５０９１号公報
【特許文献２】特開２０１２−１８０６２７号公報
【発明の概要】
【発明が解決しようとする課題】
【０００５】
本発明は、姿勢を整える機能性を維持しつつ、体型の違いや肩の動きに対応できるボディスーツ・キャミソールの提供を目的とする。
【課題を解決するための手段】
【０００６】
本発明に係るボディスーツ・キャミソールは、肩紐のない胴まわり背布と、両側の肩紐を有するとともに両側の肩甲骨部分を覆う上部背布とを部分的に重ね合せてあり、前記胴まわり背布と前記上部背布とを背中心部にて縫合してあることを特徴とする。
本発明は、後肩部と後身頃とをそれぞれ別のパーツにした点に特徴があり、肩甲骨部分を覆う上部背布に肩紐部を設けるとともに、この上部背布とは別パーツの胴まわり背布を設けた。
そして、この上部背布と胴まわり背布とを背中心部にて縫合することで体を起こし、背筋を伸ばす背中部分の機能性を維持しつつ、別パーツにした上部背布と胴まわり背布とが丈方向にスライド可能にしたものである。
よって、本発明において上部背布と胴まわり背布とは、どちらが内側になっていてもよい。
【０００７】
例えば、上部背布は、両側をそれぞれ脇の部分で前身頃と縫合した背まわり部に前記肩紐部を連結してあり、前記胴まわり背布は上部側を部分的に前記上部背布の下部側の外側に重ねてあり、前記上部背布と前記胴まわり背布は背中央の縦ライン部に沿って縫合した態様でもよい。
ここで、胴まわり背布は、ウエスト部及びヒップ部とを前身頃と一体的に縫合してあってもよい。
【発明の効果】
【０００８】
本発明に係るボディスーツ・キャミソールは、肩甲骨部分を覆う上部背布と、胴まわり背布とを部分的に重ね合せた別パーツにするとともに、背中心部にて縫合した。
これにより、背中の丸まった猫背姿勢を背筋が伸びるように改善し、肩甲骨を背中心に寄せ引き下げることで、肩甲骨の浮き上がりを改善し、胸が開き、呼吸しやすくなることで、姿勢を美しく整えることが出来つつ、別パーツにした上部背布と胴まわり背布とが丈方向に相互にスライド可能なので、着用者の体型の違いに対応でき、肩の動きが自由になる。
【０００９】
また、上部背布及び胴まわり背布の両側を前身頃に縫合してあると、両手を上下させたり、前屈姿勢をとった場合にも上部背布がずり上がることを防止する。
【図面の簡単な説明】
【００１０】
【図１】本発明に係るボディスーツ・キャミソールの構造例を示す。（ａ）は背面視を示す。（ｂ）は胴まわり背布を部分的に削除し、その部分の上部背布を示す。
【図２】図１（ａ），（ｂ）にそれぞれ対応させた側面視を（ａ），（ｂ）に示す。
【図３】正面視を示す。
【図４】（ａ）は胴まわり背布を示し、（ｂ）は上部背布をパーツ毎に示す。
【図５】本発明に係るボディスーツ・キャミソールの機能図を示す。
【図６】背筋を伸ばす機能の説明図を示す。
【図７】上部背布と胴まわり背布との丈方向のスライド機能の説明図を示す。
【発明を実施するための形態】
【００１１】
本発明に係るボディスーツ・キャミソールの構造例を図に基づいて説明するが、上部背布と胴まわり背布とが別パーツにてできているものであれば、本実施例に限定されない。
【００１２】
図１にボディスーツ・キャミソールの背面視、図２に側面視、図３に正面視を示す。
図４は、パーツ毎に示す。
ボディスーツ・キャミソールは、図４に示すように上部背布１０と胴まわり背布２０とを図２に示すように前身頃３０と側部の側縫合部３０ａにて縫合してある。
上部背布１０は、両側の肩紐部１２を有するＹ字状の布の両側に脇布１３を縫合してあり、Ｕ字トップライン部１７が形成されている。
Ｙ字状布は、図４に矢印で示すように肩から背中心に向けての伸縮性が強く、脇布１３は左右方向の伸縮性が強い。
上部背布１０は、両側の脇下部を横方向につなぐアンダーライン部１４を有する背まわり部１１と左右の肩紐部１２とを連結した形状になっている。
胴まわり背布２０とは、図１に示した背中央縦ライン部２４に沿って、胴まわり背布２０の上部にて、上部背布１０の背まわり部１１の中央縦方向の縫合部１５と略Ｔ字状に、図６では斜線で示したように縫合してある。
背まわり部１１と肩紐部１２との連結部には、図６に示すように肩甲骨を覆うための肩甲骨面部１１ａを有する。
【００１３】
胴まわり背布２０は、肩紐部が無く、背中心から脇部に向けて肩甲骨下側に沿って湾曲した左右の背布トップライン部２５と、背中心に沿って上下方向に配設した背中央縦ライン部２４を有する。
左右の背布トップライン部２５より下側の背中を胴まわりに覆う背布２１は、そのままウエスト部２２及びヒップ部２３と一体的に縫合してあり、左右の側部は図２に示すように前身頃３０，腹部３１と縫合してある。
胴まわり背布２０は、上部背布１０の外側に重ねるようにして縫合部１５にて縫合してあり、図１に示すように上部背布１０の背まわり部１１の下部側と胴まわり背布２０の上部側とに重なり部ａを形成する。
【００１４】
これにより、図６に示すように左右の肩甲骨を背中心に寄せ、引き下げるようにサポートしつつ、矢印ｆ１で示すように背中を引き起こすように作用する。
その一方で、図７に示すように肩の動きに合せて上部背布１０が矢印ｆ３の方向にスライド可能であり、胴まわり背布２０の上部は矢印ｆ２の方向にスライド可能である。
これらの機能をまとめたのが図５であり、矢印ｆ４は肩甲骨を背中心に寄せ、引き下げる作用を示す。
これにより、肩の動きに左右されることなく、背中部分の機能性を維持できる。
【産業上の利用可能性】
【００１５】
本発明は、ファンデーション下着として利用できる。
【符号の説明】
【００１６】
１０      上部背布
１１      背まわり部
１１ａ    肩甲骨面部
１２      肩紐部
１３      脇布
１４      アンダーライン部
１５      縫合部
１７      Ｕ字トップライン部
２０      胴まわり背布
２１      背布
２２      ウエスト部
２３      ヒップ部
２４      背中央縦ライン部
２５      背布トップライン部
３０      前身頃
３０ａ    側縫合部
３１      腹部
ａ        重なり部
【図１】
2018145575.tif 000003
【図２】
2018145575.tif 000004
【図３】
2018145575.tif 000005
【図４】
2018145575.tif 000006
【図５】
2018145575.tif 000007
【図６】
2018145575.tif 000008
【図７】
2018145575.tif 000009